(57)【要約】【課題】簡易な構成で、設置状況に応じた音の出力方向の変更を行うスピーカ装置を提供すること。【解決手段】スピーカ装置１０は、スピーカユニット１００と、スピーカユニット１００を保持する保持体２０とを備える。保持体２０は、スピーカ装置１０を設置面５に置いた場合に設置面５に当接する底面部３１と、スピーカユニット１００が固定された前面部４１と、設置面５に垂直な壁面６に取り付け可能な背面部４２とを有する。前面部４１は、底面部３１を下に向けた場合に、スピーカユニット１００が前方かつ斜め上に向く姿勢で底面部３１に接続されている。背面部４２は、背面部４２が壁面６に取り付けられた場合に、スピーカユニット１００が前方かつ壁面６に垂直な方向に向く姿勢で底面部３１に接続されている。【選択図】図４
2020107942.tif 000002
【特許請求の範囲】
【請求項１】
スピーカユニットと、前記スピーカユニットを保持する保持体とを備えるスピーカ装置であって、
前記保持体は、
前記スピーカ装置を設置面に置いた場合に前記設置面に当接する底面部と、
前記スピーカユニットが固定された前面部であって、前記底面部を下に向けた場合に、前記スピーカユニットが前方かつ斜め上に向く姿勢で前記底面部に接続されている前面部と、
前記設置面に垂直な壁面に取り付け可能な背面部であって、前記背面部が前記壁面に取り付けられた場合に、前記スピーカユニットが前方かつ前記壁面に垂直な方向に向く姿勢で前記底面部に接続されている背面部と、を有する、
スピーカ装置。
【請求項２】
前記前面部と前記背面部とは互いに平行な姿勢で、前記底面部に接続されている、
請求項１記載のスピーカ装置。
【請求項３】
前記前面部には、互いに独立して音の出力が可能な複数の前記スピーカユニットが、前記底面部を下に向け、かつ、前記前面部を前方から見た場合における左右方向に並んで配置されている、
請求項１または２記載のスピーカ装置。
【請求項４】
前記保持体は、さらに、前記底面部、前記前面部、及び前記背面部それぞれの端部と接続された、平行四辺形状の側面部を有する、
請求項１〜３のいずれか一項に記載のスピーカ装置。
【請求項５】
前記保持体は、前記底面部、前記前面部、及び前記背面部を含む複数の壁部によって閉じられた内部空間を形成する箱形である、
請求項１〜４のいずれか一項に記載のスピーカ装置。
【請求項６】
前記保持体はさらに、前記保持体の内部に配置されたバスレフダクトを有し、
前記前面部には、前記バスレフダクトの開口部が配置されている
請求項５記載のスピーカ装置。
【請求項７】
前記前面部には、前記スピーカ装置の状態を示す表示パネルが配置されている
請求項１〜６のいずれか一項に記載のスピーカ装置。
【請求項８】
前記保持体が前記設置面に置かれた状態における、前記スピーカユニットのスピーカ軸と、前記設置面とのなす角は、５°〜１２°のいずれかである
請求項１〜７のいずれか一項に記載のスピーカ装置。
【請求項９】
さらに、前記背面部を前記壁面に取り付けるための取付部材を備え、
前記背面部が、前記取付部材を介して前記壁面に取り付けられることで、前記スピーカユニットは、前方かつ前記壁面に垂直な方向を向く、
請求項１〜８のいずれか一項に記載のスピーカ装置。
【発明の詳細な説明】
【技術分野】
【０００１】
本開示は、スピーカユニットとスピーカユニットを保持する保持体とを備えるスピーカ装置に関する。
【背景技術】
【０００２】
特許文献１は、設置状況に応じて筐体の向きが変更される受信装置であって、複数の受光素子が受光した光信号に基づいて装置の向きを検出可能な受信装置を備えるスピーカ装置を開示する。
【先行技術文献】
【特許文献】
【０００３】
【特許文献１】特開２０１６−１０５５６５号公報
【発明の概要】
【発明が解決しようとする課題】
【０００４】
本開示は、簡易な構成で、設置状況に応じた音の出力方向の変更を行うスピーカ装置を提供する。
【課題を解決するための手段】
【０００５】
本開示における画像表示装置は、スピーカユニットと、前記スピーカユニットを保持する保持体とを備えるスピーカ装置であって、前記保持体は、前記スピーカ装置を設置面に置いた場合に前記設置面に当接する底面部と、前記スピーカユニットが固定された前面部であって、前記底面部を下に向けた場合に、前記スピーカユニットが前方かつ斜め上に向く姿勢で前記底面部に接続されている前面部と、前記設置面に垂直な壁面に取り付け可能な背面部であって、前記背面部が前記壁面に取り付けられた場合に、前記スピーカユニットが前方かつ前記壁面に垂直な方向に向く姿勢で前記底面部に接続されている背面部と、を有する。
【発明の効果】
【０００６】
本開示によれば、簡易な構成で、設置状況に応じた音の出力方向の変更を行うスピーカ装置を提供することができる。
【図面の簡単な説明】
【０００７】
【図１】実施の形態に係るスピーカ装置の第１の設置状況を示す斜視図である。
【図２】実施の形態に係るスピーカ装置の外観斜視図である。
【図３】実施の形態に係るスピーカ装置の分解斜視図である。
【図４】実施の形態に係るスピーカ装置の断面図である。
【図５】実施の形態に係るスピーカ装置の第２の設置状況を示す斜視図である。
【図６】図１に対応するスピーカ装置及びテレビの側面図である。
【図７】図５に対応するスピーカ装置及びテレビの側面図である。
【図８】実施の形態の変形例に係るスピーカ装置を設置面に置いた状態を示す側面図である。
【図９】実施の形態の変形例に係るスピーカ装置を壁面に取り付けた状態を示す側面図である。
【発明を実施するための形態】
【０００８】
本願発明者らは、従来のスピーカ装置に関し、以下の問題が生じることを見出した。従来、例えば、テレビジョン受像機等の画像表示装置における音声の出力装置として、画像表示装置とは別体のスピーカ装置が用いられる場合がある。このスピーカ装置は、例えば横長の筐体に備えらえた複数のスピーカユニットにより、疑似サラウンド音声などの、視聴者に臨場感を与える態様で音声を出力することができる。このようなスピーカ装置は、例えばサウンドバーと呼ばれ、例えば、画像表示装置が置かれたテレビ台の上、または、画像表示装置が取り付けられた壁面における画像表示装置の近傍に配置される。これにより、画像表示装置に表示される映画等の動画と、スピーカ装置が出力する音声により形成される音像との一体化が図られる。
【０００９】
ここで、スピーカ装置は、上述のように、例えば画像表示装置の設置状況に応じて、互いに異なる設置状況に置かれ得る。つまり、画像表示装置及びスピーカ装置を用いて映像コンテンツを視聴する視聴者は、その画像表示装置の設置状況に応じてスピーカ装置の位置を決定するため、視聴者に対するスピーカ装置の相対的な位置は、特定の位置には限定されない。従って、スピーカ装置には、スピーカ装置の設置状況によらずに、視聴者に最適な音声出力を行うための構成が要求される。
【００１０】
そこで、例えば特許文献１には、互いに異なる向きに配置された２つのスピーカユニットを備えるスピーカ装置であって、スピーカ装置の向きに応じて２つのスピーカユニットを制御するスピーカ装置が開示されている。具体的には、このスピーカ装置では、受信装置が、互いに異なる受光方向に設定された２つの受光素子を有し、制御部が、これら２つの受光素子から得られる電流に応じてスピーカ装置の向きを検出する。制御部は、その検出結果に基づき、スピーカ装置が有する２つのスピーカユニットに入力する音声信号の制御を行う。
【００１１】
上記従来の構成によれば、例えば、スピーカ装置の姿勢の変更の前後において、スピーカ装置の正面に位置する視聴者に適した音声出力をすることが可能である。しかしながらこの場合、スピーカ装置の向きの検出、及びその検出結果に基づく複数のスピーカ装置の制御のためのハードウェア及びソフトウェアが必要であるため、スピーカ装置の構成が複雑化する。また、これらハードウェア及びソフトウェアを格納するための物理的な領域が必要となることで、例えばスピーカ装置の薄型化が困難となる可能性がある。
【００１２】
本開示は、このような知見に基づいてなされたものであり、本願発明者が鋭意検討した結果、簡易な構成で、設置状況に応じた音の出力方向の変更を行うスピーカ装置の構造についての着想を得た。
【００１３】
以下、適宜図面を参照しながら、実施の形態及びその変形例を説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
また、図面は、本開示を示すために適宜強調、省略、または比率の調整を行った模式的な図となっており、実際の形状、位置関係、及び比率とは異なる場合がある。また、以下の実施の形態の説明及び特許請求の範囲において、平行または中央などの、１以上の物体の姿勢または位置等を示す表現が用いられる場合があるが、これらの表現は、厳密にはその姿勢または位置等ではない場合も含む。例えば、平行とは、完全に平行であることを意味するだけでなく、実質的に平行である場合、すなわち、例えば、外観上平行と視認される範囲内における差異を含むことも意味する。
【００１５】
なお、本願発明者らは、当業者が本開示を十分に理解するために添付図面及び以下の説明を提供するのであって、これらによって特許請求の範囲に記載の主題を限定することを意図するものではない。
【００１６】
また、以下の実施の形態及び変形例において、説明の便宜上、上下方向をＺ軸方向と一致させ、前後方向をＹ軸方向と一致させ、左右方向（横方向）をＸ軸方向と一致させているが、これら対応付けは、本開示に係る画像表示装置の製造時または使用時における姿勢を限定するものではない。また、以下の説明において、例えば、Ｘ軸プラス側とは、Ｘ軸の矢印方向側を示し、Ｘ軸マイナス側とは、Ｘ軸プラス側とは反対側を示す。Ｙ軸方向及びＺ軸方向についても同様である。
【００１７】
（実施の形態）
以下、図１〜図７を用いて実施の形態を説明する。まず、図１及び図２を用いて、実施の形態に係るスピーカ装置の構成概要について説明する。
【００１８】
［１−１．スピーカ装置の全体構成］
図１は、実施の形態に係るスピーカ装置１０の第１の設置状況を示す斜視図である。図２は、実施の形態に係るスピーカ装置１０の外観斜視図である。
【００１９】
具体的には、図１では、実施の形態に係るスピーカ装置１０が、テレビ１に表示される映像コンテンツの音声を出力する装置として用いられる場合の、テレビ１及びスピーカ装置１０の設置例が示されている。図１に示すテレビ１は、映像を表示するディスプレイ２及びディスプレイ２を下方から支持するスタンド３を有する。テレビ１は、テレビ台４の設置面５に置かれており、スピーカ装置１０は、設置面５上であって、テレビ１のスタンド３の前方の位置、または一部が、上下方向でスタンド３と重複する位置に置かれている。
【００２０】
スピーカ装置１０は、例えば、無線通信または有線通信によりテレビ１またはテレビ１に映像データを供給する再生装置等と接続されており、テレビ１に表示される映像コンテンツに同期した音声を出力する装置である。スピーカ装置１０は、外観上、図２に示すように、左右方向（Ｘ軸方向）に長尺状の保持体２０と、保持体２０の長手方向の端部に配置された側面部６０と、保持体２０の前面及び上面を覆うように配置されたスピーカネット８０とを有している。また、保持体２０の上面後端にはスピーカネット８０を固定するプレート９０が配置されており、スピーカネット８０の前面の開口部には、スピーカ装置１０の状態を示す表示パネル７０が配置されている。
【００２１】
［１−２．スピーカ装置の詳細］
次に、スピーカ装置１０の内部構成等について、図３を用いて説明する。図３は、実施の形態に係るスピーカ装置１０の分解斜視図である。なお、図３では、保持体２０の内部に配置された回路基板及び電線等の図示は省略されている。
【００２２】
図３に示すように、実施の形態に係るスピーカ装置１０は、スピーカユニット１００と、スピーカユニット１００を保持する保持体２０とを備える。本実施の形態では、保持体２０には、互いに独立して音の出力が可能な８個のスピーカユニット１００が保持されている。図３では、これらスピーカユニット１００を機能または配置位置で区別するために、８個のスピーカユニット１００のそれぞれに、１００ａ〜１００ｄの符号を付している。以下で、これらスピーカユニット１００のそれぞれを区別して説明する場合は、符号１００ａ〜１００ｄのいずれかを用いる。また、単に「スピーカユニット１００」という場合は、８個のスピーカユニット１００のいずれか、または、それぞれを指す。
【００２３】
具体的には、保持体２０には、左側に配置された２つのスピーカユニット１００ａと、中央に配置された２つのスピーカユニット１００ｂと、右側に配置された２つのスピーカユニット１００ｃと、両端に配置された２つのスピーカユニット１００ｄとが配置されている。
【００２４】
スピーカユニット１００ａ〜１００ｃのそれぞれは、例えばミッドウーファーと呼ばれる、一部の低音域から中音域までの音を出力するスピーカユニット１００である。スピーカユニット１００ｄは、例えばツイーターと呼ばれる、主として高音域の音を出力するスピーカユニット１００である。
【００２５】
また、保持体２０は、スピーカユニット１００以外に、音を出力する構成要素として２つのバスレフダクト１２０を有している。バスレフダクト１２０は、保持体２０内部の後面で生じる低音の位相を反転させて出力する管状の部材であり、低音の出口であるバスレフポート１２１を一端に有している。本実施の形態において、８個のスピーカユニット１００及び２つのバスレフポート１２１は、保持体２０の前面部４１に配置されており、スピーカ装置１０の前方（スピーカ装置１０よりも、Ｙ軸マイナス側の領域）に位置する視聴者に、例えば疑似的な５．１ｃｈサラウンド音声を提供することができる。
【００２６】
保持体２０は、本実施の形態では、図３に示すように、上キャビネット４０、下キャビネット３０、及び、保持体２０の長手方向の両側面を形成する２つの側面部６０を有する。これらの保持体２０を構成する各部材は、例えば樹脂成型によって作製される。
【００２７】
下キャビネット３０は、底面部３１と後面部３２とを有する。底面部３１は、スピーカ装置１０を例えば設置面５（図１参照）に置いた場合に、設置面５に当接する部分である。例えば、底面部３１の下面（Ｚ軸マイナス側の面）、または、底面部３１が備える複数のゴム足が設置面５に当接した状態で、保持体２０（スピーカ装置１０）が設置面５に置かれる。底面部３１の上面（Ｚ軸プラス側の面）には、図示しない回路基板及び電線等の、複数のスピーカユニット１００を制御するための電気機器が配置される。後面部３２は、保持体２０の内部空間における後面を形成する部分であり、本実施の形態では、底面部３１と一体に形成されている。また、図３に示すように、下キャビネット３０には、保持体２０の長手方向（Ｘ軸方向）の中央部分に突出部３５が形成されており、突出部３５の裏側には、テレビ１のスタンド３（図１参照）の一部を収容するスタンド収容部が形成されている。スタンド収容部については、図４を用いて後述する。
【００２８】
上キャビネット４０は、前面部４１、前面部４１と対向する位置に配置された背面部４２、及び、前面部４１と背面部４２とを接続する天面部４３を有する。前面部４１には、上述のように８個のスピーカユニット１００及び２つのバスレフポート１２１に加え、表示パネル７０が配置されている。表示パネル７０は、例えば、スピーカ装置１０の動作モード及び音のボリュームレベルなど、スピーカ装置１０の状態を示す情報を表示する装置である。例えば蛍光表示管が表示パネル７０として採用される。
【００２９】
背面部４２は、保持体２０の最背面を形成する部分であり、スピーカ装置１０を例えば壁面に設置する場合に、当該壁面に取り付けられる部分である。例えば、図３に示すように、２つの取付穴４５が設けられ、壁面に固定された２つの突起（例えばネジの頭部等）に２つの取付穴４５が係合することで、背面部４２が壁面に取り付けられる。これにより、スピーカ装置１０が壁面に取り付けられる。スピーカ装置１０を壁面に取り付けた状態については、図５を用いて後述する。天面部４３は、保持体２０の内部空間における天面（天井）を形成する部分である。天面部４３には、例えば図示しないスイッチ等が配置されてもよい。
【００３０】
側面部６０は、保持体２０の長手方向における両端の側面を形成する部分である。本実施の形態では、上キャビネット４０及び下キャビネット３０の組み合わせにより両端が開口した筒状の部材が形成され、これら開口を塞ぐように側面部６０が配置されている。なお、側面部６０は、上キャビネット４０及び下キャビネット３０のいずれかに一体に設けられていてもよい。つまり、上キャビネット４０及び下キャビネット３０の組み合わせにより形成される筒状の部材は、両端が閉じた形状であってもよい。
【００３１】
スピーカネット８０は、上キャビネット４０の前面部４１及び天面部４３を覆うように配置された部材であり、例えば、金属板に多数の孔を形成することで作製された部材である。スピーカネット８０は、例えば、複数のスピーカユニット１００の保護、及び、バスレフポート１２１への異物の侵入防止等の機能を有する。
【００３２】
スピーカネット８０は、例えば、前面部４１と、天面部４３の後端部に配置されるプレート９０とによって固定される。また、スピーカネット８０には、表示パネル７０を見やすくするための開口部８７が設けられている。なお、スピーカネット８０は、金属製である必要はなく、例えば、樹脂製のネット及びフレームによってスピーカネット８０が構成されてもよい。また、スピーカネット８０ネットを介して表示パネル７０が視認可能な場合、スピーカネット８０に開口部８７が設けられなくてもよい。
【００３３】
このように構成されたスピーカ装置１０において、保持体２０は、スピーカ装置１０の設置状況に応じて、音の出力方向を変更する構造を有している。この構造について、図４〜図７を用いて説明する。
【００３４】
図４は、実施の形態に係るスピーカ装置１０の断面図である。具体的には、図４では、図３に示すＩＶ−ＩＶ線を通るＹＺ平面における断面が簡易的に図示されており、スピーカユニット１００については断面ではなく側面が図示されている。図５は、実施の形態に係るスピーカ装置１０の第２の設置状況を示す斜視図である。図６は、図１に対応するスピーカ装置１０及びテレビ１の側面図である。図７は、図５に対応するスピーカ装置１０及びテレビ１の側面図である。
【００３５】
図４に示すように、保持体２０が有する前面部４１は、底面部３１を下に向けた場合に、スピーカユニット１００が前方かつ斜め上に向く姿勢で底面部３１に接続されている。具体的には、平板状の前面部４１には、スピーカ軸Ａ１が前面部４１と直交する姿勢でスピーカユニット１００が固定されており、前面部４１が、底面部３１に近づく側に傾いた姿勢で底面部３１に接続されている。つまり、スピーカ装置１０を、例えば設置面５（図１参照）に置いた場合、設置面５に平行かつスピーカ装置１０の長手方向に直交する仮想線である基準線Ａ２と、スピーカ軸Ａ１とのなす角（以下、「スピーカ仰角」という。）が、図４に示すようにθ（＞０°）である。
【００３６】
なお、スピーカ軸Ａ１は、スピーカユニット１００のスピーカコーン（本実施の形態では円形）の中心を通り、かつ、スピーカコーン（またはボイスコイル）の振動方向に平行な仮想軸である。つまり、スピーカ軸Ａ１は、スピーカユニット１００から発せられる音の主たる進行方向に平行な仮想軸であるとも言える。
【００３７】
また、保持体２０が有する背面部４２は、背面部４２が壁面に取り付けられた場合に、スピーカユニット１００が前方かつ当該壁面に垂直な方向に向く姿勢で底面部３１に接続されている。具体的には、平板状の背面部４２は、対向する位置にある前面部４１と平行な姿勢で、つまり、底面部３１に対して、底面部３１から遠ざかる側に傾いた姿勢で底面部３１に接続されている。
【００３８】
すなわち、本実施の形態では、保持体２０の側面視形状は、平行四辺形状であり、従って、側面部６０（図３参照）も、平行四辺形状である。そのため、スピーカ装置１０を設置面５に置いた場合、スピーカユニット１００は、スピーカ軸Ａ１が設置面５からθだけ上向きの姿勢となる。しかし、図５に示すように、例えば、設置面５に垂直な壁面６にスピーカ装置１０を配置した場合、スピーカユニット１００は正面を向く姿勢となる。
【００３９】
例えば、図６に示すように、テレビ台４の設置面５にテレビ１及びスピーカ装置１０が置かれ、その前方の椅子に視聴者１５０が座っている場合を想定する。この場合、スピーカ装置１０からの音の出力方向は、おおよそ視聴者１５０の耳１５１の方向に向けられる。
【００４０】
具体的には、例えば、テレビ１が、６５ｖ型（画面として発光している矩形領域の対角線の長さが６５インチのタイプを意味する。この場合、「画面サイズが６５インチ」ともいう。以下同様）テレビの場合、ディスプレイ２（図１参照）の縦幅は約８０ｃｍであり、推奨される視聴距離（ディスプレイ２と視聴者１５０の目との水平距離（Ｙ軸方向の距離））は８０ｃｍの３倍の約２４０ｃｍである。このとき、スピーカ装置１０と、視聴者１５０の耳１５１との水平距離Ｌを２４６ｃｍとし、スピーカ装置１０と視聴者１５０の耳１５１との垂直距離（Ｚ軸方向の距離）Ｈを３０ｃｍとした場合、スピーカ仰角θは約７°である。従って、本実施の形態では、スピーカ仰角θが７°となる姿勢でスピーカユニット１００が保持体２０に保持されている。これにより、６５インチ程度の画面サイズのテレビ１とともにスピーカ装置１０が用いられた場合に、スピーカ装置１０から出力される音を効率よく視聴者１５０の耳１５１に到達させることができる。
【００４１】
なお、本実施の形態の場合、平板状の前面部４１に、スピーカユニット１００のスピーカ軸Ａ１が直交する姿勢で固定されており、底面部３１は、設置面５と平行な姿勢で設置面５に置かれる。そのため、図６に示す、前面部４１と底面部３１とのなす角φは、８３°である。
【００４２】
また、テレビ１が６５ｖ型テレビではない場合も、６５ｖ型テレビである場合と同様に、視聴環境に適したスピーカ仰角θが求められる。例えばテレビ１の画面サイズが４０インチである場合、ディスプレイ２の縦方向の幅は約４９ｃｍであり、推奨される視聴距離は約１４７ｃｍである。このとき、スピーカ装置１０と視聴者１５０の耳１５１との水平距離Ｌを１５３ｃｍとし、スピーカ装置１０と視聴者１５０の耳１５１との垂直距離Ｈを３０ｃｍとした場合、スピーカ仰角θは約１１．１°である。また、例えばテレビ１の画面サイズが８０インチである場合、ディスプレイ２の縦方向の幅は約１００ｃｍであり、推奨される視聴距離は約３００ｃｍである。このとき、スピーカ装置１０と、視聴者１５０の耳１５１との水平距離Ｌを３０５ｃｍとし、スピーカ装置１０と視聴者１５０の耳１５１との垂直距離Ｈを３０ｃｍとした場合、スピーカ仰角θは約５．６°である。従って、スピーカ装置１０ともに用いられるテレビ１の画面サイズが、おおよそ４０インチから８０インチのいずれかである場合を想定した場合、スピーカ仰角θは約５°〜１２°のいずれかであることが好ましい。
【００４３】
また、例えば、図７に示すように、壁面６にテレビ１及びスピーカ装置１０を取り付け、その前方の椅子に視聴者１５０が座っている場合を想定する。この場合、スピーカ装置１０からの音の出力方向は、おおよそ視聴者１５０の耳１５１の方向に向けられる。
【００４４】
具体的には、本実施の形態では、背面部４２と壁面６とが平行な姿勢で、背面部４２が壁面６に取り付けられる。また、背面部４２と前面部４１とは平行であり、前面部４１には、スピーカ軸Ａ１が前面部４１と直交する姿勢でスピーカユニット１００が固定されている。従って、スピーカ軸Ａ１は、壁面６に対して垂直となり、スピーカユニット１００からの音の出力方向は、おおよそ視聴者１５０の耳１５１の方向に向けられる。
【００４５】
ここで、例えば６５ｖ型テレビなどの大型のテレビ１を壁面６に取り付ける場合、一般に、テレビ１は、椅子に座った視聴者１５０がわずかに見上げる状態となる位置に取り付けられる。この場合、テレビ１の直下に配置されるスピーカ装置１０のおおよそ正面に、視聴者１５０の耳１５１が位置する蓋然性が高い。そのため、スピーカ装置１０からの音の主たる出力方向が、水平方向（つまり、壁面６に垂直な方向）となることで、スピーカ装置１０から出力される音を効率よく視聴者１５０の耳１５１に到達させることができる。また、スピーカ装置１０からの音が壁面６で反射して視聴者１５０の耳１５１に届く可能性が低減される。
【００４６】
また、本実施の形態では、図４に示すように、保持体２０の下部に、テレビ１のスタンド３の一部を収容可能なスタンド収容部３６が形成されている。これにより、例えば、図１に示すように、テレビ１が置かれた面にスピーカ装置１０を置く場合は、前後方向（Ｙ軸方向）において、スピーカ装置１０をディスプレイ２（図１参照）により近い位置または、ディスプレイ２と重なる位置に配置することができる。このことは、テレビ１に表示される映像と、スピーカ装置１０が出力する音により形成される音像との一体化に有利である。
【００４７】
［１−３．効果等］
以上説明したように、本実施の形態に係るスピーカ装置１０は、スピーカユニット１００と、スピーカユニット１００を保持する保持体２０とを備える。保持体２０は、スピーカ装置１０を設置面５に置いた場合に設置面５に当接する底面部３１と、スピーカユニット１００が固定された前面部４１と、設置面５に垂直な壁面６に取り付け可能な背面部４２とを有する。前面部４１は、底面部３１を下に向けた場合に、スピーカユニット１００が前方かつ斜め上に向く姿勢で底面部３１に接続されている。背面部４２は、背面部４２が壁面６に取り付けられた場合に、スピーカユニット１００が前方かつ壁面６に垂直な方向に向く姿勢で底面部３１に接続されている。
【００４８】
この構成によれば、テレビ１とともに設置面５に置かれたスピーカ装置１０からは、前方斜め上に向けて音が出力される。これにより、例えばテレビ台４の設置面５にテレビ１及びスピーカ装置１０を置き、その前方で、テレビ１の画面サイズに適した距離だけ離れて椅子に腰かけた視聴者が存在する場合、その視聴者の耳に向けてスピーカ装置１０からの音を出力することができる。また、テレビ１とともに壁面６に取り付けられたスピーカ装置１０からは、前方かつ壁面６に垂直な方向（例えば水平方向）に向けて音が出力される。これにより、例えば住宅内の壁面６にテレビ１及びスピーカ装置１０を取り付け、その前方で、壁面６から所定の距離離れて椅子に腰かけた視聴者が存在する場合、その視聴者の耳に向けてスピーカ装置１０からの音を出力することができる。また、スピーカユニット１００が、壁面６に垂直な方向を向くため、例えば、スピーカユニット１００から出力された音が壁面６で反射して視聴者に届く可能性が低減される。つまり、スピーカ装置１０から出力される音によって形成される音像が、反射音によって乱される可能性が低減される。
【００４９】
このように、本実施の形態に係るスピーカ装置１０は、簡易な構成で、設置状況に応じた音の出力方向の変更を行うことができる。すなわち、例えば設置状況を検出するハードウェア及びソフトウェア等を用いることなく、スピーカ装置１０を用いて映像コンテンツ等を視聴する視聴者に対して適切な視聴環境を提供することができる。
【００５０】
また、本実施の形態では、前面部４１と背面部４２とは互いに平行な姿勢で、底面部３１に接続されている。
【００５１】
この構成によれば、例えば、前面部４１に対してスピーカユニット１００を平行な姿勢（スピーカ軸Ａ１が直交する姿勢）で固定するだけで、上述のような、設置状況に応じた音の出力方向の変更が可能となる。つまり、例えば平板状の前面部４１に設けた丸孔にスピーカユニット１００を取り付けることで、スピーカユニット１００の姿勢を、スピーカ仰角θが所定の値（例えば７°）となる姿勢に固定することができる。従って、例えば前面部４１の形状を複雑にすることなく、スピーカユニット１００を適切な姿勢で固定することができる。
【００５２】
また、本実施の形態において、前面部４１には、互いに独立して音の出力が可能な複数のスピーカユニット１００が、底面部３１を下に向け、前面部４１を前方から見た場合の左右方向に並んで配置されている。
【００５３】
この構成によれば、スピーカ装置１０を、例えば図１及び図５に示すように、テレビ１とともに用いる音声出力装置として適した横長形状にすることができる。また、複数のスピーカユニット１００が独立して音の出力が可能であるため、例えば疑似サラウンド音声の出力も可能である。
【００５４】
また、本実施の形態において、保持体２０は、底面部３１、前面部４１、及び、背面部４２それぞれの端部と接続された、平行四辺形状の側面部６０を有する。
【００５５】
この構成によれば、底面部３１、前面部４１、及び、背面部４２の位置関係に対応した形状の側面部６０が配置されるため、例えば、外観上、前面部４１（つまりスピーカユニット１００）が、どのような向きを向いているかを認識しやすい。
【００５６】
また、本実施の形態において、保持体２０は、底面部３１、前面部４１、及び背面部４２を含む複数の壁部によって閉じられた内部空間を形成する箱形である。
【００５７】
つまり、本実施の形態に係るスピーカ装置１０では、保持体２０の構造としてエンクロージャー方式が採用されている。これにより、スピーカ装置１０は、例えば、設置状況に応じた音の出力方向の変更が可能であって、かつ、低音から高音までの幅広い音域の音を視聴者に提供することができる。
【００５８】
また、本実施の形態において、保持体２０は、保持体２０の内部に配置されたバスレフダクト１２０を有し、前面部４１には、バスレフダクト１２０の開口部であるバスレフポート１２１が配置されている。
【００５９】
この構成によれば、保持体２０の構造として、エンクロージャー方式のうちのバスレフ方式が採用されており、スピーカ装置１０が出力する音のうちの低音域の出力を担うバスレフポート１２１が前面部４１に配置されている。そのため、例えば、同じく前面部４１に配置されるミッドウーファーまたはツイーターである他の１以上のスピーカユニット１００とともに、設置状況によらず、幅広い音域の音を視聴者の耳に向けて出力することができる。
【００６０】
また、本実施の形態において、前面部４１には、スピーカ装置１０の状態を示す表示パネル７０が配置されている。
【００６１】
この構成によれば、表示パネル７０も、スピーカユニット１００と同じく、設置状況に応じて向きが変更される。従って、例えば、スピーカ装置１０の設置状況が、図１及び図５のいずれに示す場合であっても、表示パネル７０が視聴者に向けられるため、視聴者から見た場合の表示パネル７０の視認性が向上する。
【００６２】
より詳細には、本実施の形態では、視聴者１５０に提供すべき音声の出力部及び情報の表示部の全て（８個のスピーカユニット１００、２つのバスレフポート１２１及び表示パネル７０）が、前面部４１に集約されている。従って、スピーカ装置１０の設置状況の変化に追随して、これら出力部及び表示部の向きも一括して変更される。これにより、スピーカ装置１０の設置状況によらず、視聴者に適した視聴環境であって、音声出力及び情報表示を含む視聴環境が視聴者に提供される。
【００６３】
また、本実施の形態において、保持体２０が設置面５に置かれた状態における、スピーカユニット１００のスピーカ軸Ａ１と、設置面５とのなす角（つまり、スピーカ仰角θ）は、５°〜１２°のいずれかであるとしてもよい。
【００６４】
すなわち、例えばスピーカ装置１０の横幅（長手方向の幅）が１ｍ程度であるとした場合、スピーカ装置１０とともに用いられるテレビ１の画面サイズは、４０インチ（横幅約８８ｃｍ）から８０インチ（横幅約１７７ｃｍ）程度であると想定される。この場合、推奨視聴距離等を考慮すると、上述のように、スピーカ軸Ａ１と設置面５とのなす角（スピーカ仰角θ）は、５°〜１２°であることが好ましい。なお、スピーカ装置１０とともに用いられるテレビ１の画面サイズが、例えば８０インチを超える場合に、スピーカ仰角θが、５°〜１２°であってもよい。この場合であっても、スピーカ装置１０により、設置状況に応じた音の出力方向の変更を行うことができる、という効果は奏される。
【００６５】
以上、実施の形態に係るスピーカ装置１０について説明したが、スピーカ装置１０は、例えば、図１〜図７に示す態様とは異なる態様の保持体２０を備えてもよい。そこで、以下に、保持体２０に関する変形例を、上記実施の形態との差分を中心に説明する。
【００６６】
（変形例）
図８は、実施の形態の変形例に係るスピーカ装置１０ａを設置面５に置いた状態を示す側面図である。図９は、実施の形態の変形例に係るスピーカ装置１０ａを壁面６に取り付けた状態を示す側面図である。
【００６７】
図８に示すように、本変形例に係る保持体２０ａは、側面視において平行四辺形状ではなく、台形状である。具体的には、本変形例において、前面部４１は、実施の形態に係る前面部４１と同じく、前面部４１に固定されたスピーカユニット１００が前方かつ斜め上に向く姿勢で底面部３１に接続されている。しかし、背面部４２ａは前面部４１と平行ではなく、スピーカ装置１０を設置面５に置いた場合に、背面部４２ａが設置面５に対して垂直となる姿勢で、底面部３１と接続されている。また、背面部４２ａには、取付部材４８が固定されている。取付部材４８は、例えば、背面部４２ａに設けられた取付穴４５（図３参照）にねじ止めされた金属製の部材である。
【００６８】
このような形状を有する保持体２０ａを設置面５に置いた場合、スピーカユニット１００は、スピーカ仰角θが、例えば実施の形態と同じく７°である。従って、図６を用いて説明したように、スピーカ装置１０ａから出力される音を効率よく視聴者１５０の耳１５１に到達させることができる。
【００６９】
また、本変形例に係るスピーカ装置１０ａを、壁面６に取り付ける場合、図９に示すように、壁面６に固定された取付板８に取付部材４８を引っ掛けることで、スピーカ装置１０ａが壁面６に取り付けられる。取付板８は、例えばネジ７で壁面６に固定された金属製の部材であり、取付部材４８と係合し、かつ取付部材４８を下から支持する形状を有している。このように、取付部材４８を用いてスピーカ装置１０ａを壁面６に取り付けた場合、スピーカユニット１００は、スピーカ軸Ａ１が壁面６に対して垂直な姿勢となる。すなわち、本変形例に係るスピーカ装置１０ａは、背面部４２ａを壁面６に取り付けるための取付部材４８を備える。背面部４２ａが、取付部材４８を介して壁面６に取り付けられることで、スピーカユニット１００は、前方かつ壁面６に垂直な方向を向く。
【００７０】
つまり、本変形例では、スピーカ装置１０ａを壁面６に取り付ける場合において、背面部４２ａ及び取付部材４８が、実施の形態に係る背面部４２と同じ機能を発揮することができる。従って、図７を用いて説明したように、スピーカ装置１０ａから出力される音を効率よく視聴者１５０の耳１５１に到達させることができる。
【００７１】
なお、金属製の取付部材４８は、例えば、インサート成型によって、背面部４２ａと一体化されていてもよい。また、背面部４２ａが、例えば、比較的に強度の高い樹脂で形成されている場合、当該樹脂で形成された取付部材が、背面部４２ａの一部として設けられてもよい。
【００７２】
また、図８及び図９に示す取付部材４８及び取付板８の形状は一例であり、取付部材４８及び取付板８は、スピーカ装置１０ａを、図９に示す姿勢で壁面６に取り付けることが可能な形状を有していればよい。また、例えば、取付部材が取付板としての機能を備えてもよい。つまり、スピーカ装置１０ａに固定された取付部材が、壁面６に固定された突起（例えばネジの頭部等）に係合することで、スピーカ装置１０ａが、図９に示す姿勢で壁面６に取り付けられてもよい。
【００７３】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【００７４】
例えば、スピーカ装置１０が備えるスピーカユニット１００の個数は８には限定されず、スピーカ装置１０は、少なくとも１つのスピーカユニット１００を備えればよい。つまり、スピーカ装置１０が有する、簡易な構成で、設置状況に応じた音の出力方向の変更を行う、という効果は、スピーカユニット１００の個数によらず発揮される。
【００７５】
また、例えば図４に示すように、前面部４１は底面部３１に対して傾いているが、前面部４１は、例えば、底面部３１に対して垂直な姿勢で底面部３１に接続されていてもよい。この場合であっても、スピーカユニット１００が斜め上に向く姿勢（スピーカ仰角θが正である姿勢）で、前面部４１に固定されていれば、スピーカ装置１０は、設置状況に応じた音の出力方向の変更を行うことができる。
【００７６】
また、底面部３１は、底面部３１の下面が、設置面５に対して平行な姿勢で置かれなくてもよい。例えば、底面部３１が有する前後の突起（ゴム足など）の高さが異なることで、底面部３１の下面が、設置面５に対して非平行な姿勢で置かれてもよい。この場合であっても、スピーカユニット１００が前方かつ斜め上に向く姿勢で前面部４１に固定されていれば、例えば図６に示すように、スピーカユニット１００からの音の出力方向は、視聴者１５０の耳１５１に向けられる。
【００７７】
また、保持体２０が、図３に示す上キャビネット４０、下キャビネット３０、及び、２つの側面部６０で構成されることは必須ではない。例えば、底面部３１、前面部４１及び２つの側面部６０が一体化された部材と、背面部４２及び天面部４３が一体化された部材との組み合わせによって保持体２０が構成されていてもよい。
【００７８】
また、保持体２０は、バスレフダクト１２０を有する必要はない。例えば、保持体２０の構造として、密閉型のエンクロージャー方式が採用されてもよい。
【００７９】
また、保持体２０は、内部に閉じられた空間を形成する必要はない。例えば、背面部４２の一部または全部が開口する、後面開放型の保持体がスピーカ装置１０に採用されてもよい。この場合、例えば底面部３１及び天面部４３の後端部が、スピーカ装置１０を壁面６に取り付けるための機能を有してもよい。
【００８０】
また、スピーカ装置１０は、テレビ１とともに使用されることは必須ではない。スピーカ装置１０は、例えば、ＣＤ（Ｃｏｍｐａｃｔ  Ｄｉｓｃ）プレーヤ等のメディアプレーヤ、または、ＡＶ（Ａｕｄｉｏ  Ｖｉｓｕａｌ）アンプに接続された、音楽鑑賞のためのスピーカ装置として用いられてもよい。また、例えばスピーカ装置１０が、ＣＤまたはメモリ装置等に記録された音声を再生する機能を有してもよい。つまり、スピーカ装置１０は、スピーカユニット内蔵の音声再生装置として実現されてもよい。
【００８１】
また、上述の実施の形態及び変形例は、本開示における技術を例示するためのものであるから、特許請求の範囲又はその均等の範囲において種々の変更、置き換え、付加、省略などを行うことができる。
【産業上の利用可能性】
【００８２】
本開示は、音を出力するスピーカ装置に適用可能である。具体的には、テレビジョン受像機、ＡＶアンプ、またはメディアプレーヤ等に接続されたスピーカ装置に本開示は適用可能である。
【符号の説明】
【００８３】
１  テレビ
２  ディスプレイ
３  スタンド
４  テレビ台
５  設置面
６  壁面
７  ネジ
８  取付板
１０、１０ａ  スピーカ装置
２０、２０ａ  保持体
３０  下キャビネット
３１  底面部
３２  後面部
３５  突出部
３６  スタンド収容部
４０  上キャビネット
４１  前面部
４２、４２ａ  背面部
４３  天面部
４５  取付穴
４８  取付部材
６０  側面部
７０  表示パネル
８０  スピーカネット
８７  開口部
９０  プレート
１００、１００ａ、１００ｂ、１００ｃ、１００ｄ  スピーカユニット
１２０  バスレフダクト
１２１  バスレフポート
【図１】
2020107942.tif 000003
【図２】
2020107942.tif 000004
【図３】
2020107942.tif 000005
【図４】
2020107942.tif 000006
【図５】
2020107942.tif 000007
【図６】
2020107942.tif 000008
【図７】
2020107942.tif 000009
【図８】
2020107942.tif 000010
【図９】
2020107942.tif 000011